【手続補正書】
【提出日】平成16年8月31日(2004.8.31)
【手続補正１】
【補正対象書類名】明細書
【補正対象項目名】発明の名称
【補正方法】変更
【補正の内容】
【発明の名称】  水晶振動子を搭載した電子機器とその製造方法
【手続補正２】
【補正対象書類名】明細書
【補正対象項目名】特許請求の範囲
【補正方法】変更
【補正の内容】
【特許請求の範囲】
【請求項１】
少なくとも表示部と水晶発振器から構成される電子機器で、前記電子機器は複数個の水晶発振器を備えて構成され、その内の二個の水晶発振器はそれぞれ異なる振動モードの水晶振動子を備えて構成されていて、
前記二個の各水晶発振器は増幅回路と帰還回路から構成される水晶発振回路を備えて構成され、前記増幅回路は少なくとも増幅器から構成され、かつ、前記帰還回路は少なくとも水晶振動子とコンデンサーから構成される水晶発振回路を備えた水晶発振器で、
前記二個の水晶発振器の内の、一個の水晶発振器を構成する帰還回路の前記異なる振動モードの水晶振動子の内の一つは、屈曲モードで振動する音叉腕と音叉基部から成る音叉型屈曲水晶振動子で、前記音叉腕は上面と下面と側面とを有し、前記音叉型屈曲水晶振動子の音叉腕に溝が設けられ、前記溝と前記音叉腕の側面に電極が配置され、前記溝の側面の電極とその電極に対抗する音叉腕の側面の電極とが互いに異極で、かつ、前記音叉腕が逆相で振動する溝と電極が設けられ、音叉腕に溝を有する前記音叉型屈曲水晶振動子の基本波モード振動のフイガーオブメリットＭ１が、２次高調波モード振動のフイガーオブメリットＭ２より大きい音叉型屈曲水晶振動子を備えて前記一個の水晶発振器は構成されていることを特徴とする水晶振動子を搭載した電子機器。
【請求項２】
請求項１に記載の電子機器において、増幅回路と少なくとも前記音叉型屈曲水晶振動子から成る帰還回路を備えて構成される水晶発振器の、増幅回路の基本波モード振動の負性抵抗−ＲＬ１の絶対値と基本波モード振動の等価直列抵抗Ｒ１との比が、増幅回路の２次高調波モード振動の負性抵抗−ＲＬ２の絶対値と２次高調波モード振動の等価直列抵抗Ｒ２との比より大きいことを特徴とする水晶振動子を搭載した電子機器。
【請求項３】
請求項１または請求項２に記載の電子機器において、増幅回路と帰還回路を備えて構成される水晶発振回路の、増幅回路はＣＭＯＳインバータと帰還抵抗素子を備えて構成され、前記帰還回路は音叉腕に溝を有する音叉型屈曲水晶振動子と容量素子とドレイン抵抗素子とを備えて構成され、前記増幅回路の基本波モード振動の増幅率α１と２次高調波モード振動の増幅率α２との比が、帰還回路の２次高調波モード振動の帰還率β２と基本波モード振動の帰還率β１との比より大きいことを特徴とする水晶振動子を搭載した電子機器。
【請求項４】
請求項１から請求項３のいずれかに記載の電子機器において、前記音叉型屈曲水晶振動子は幅と厚みと長さとを有する音叉腕と音叉基部とを具えて構成され、屈曲モードで振動する音叉型屈曲水晶振動子で、前記音叉腕の一端部は音叉基部に接続され、他端部は自由である音叉型屈曲水晶振動子で、前記音叉腕は少なくとも第１音叉腕と第２音叉腕を備えて構成され、第１音叉腕と第２音叉腕の上下面に各々１個の溝が設けられ、少なくとも１個の溝幅Ｗ２は部分幅Ｗ１、及び／又は部分幅Ｗ３より大きく形成され、且つ、各々の溝には第１音叉腕の溝の電極と第２音叉腕の溝の電極との極性が異なる電極が配置されると共に、前記溝の電極と対抗して配置された音叉腕の側面の電極とは極性が異なる２電極端子を構成していることを特徴とする水晶振動子を搭載した電子機器。
【請求項５】
請求項１から請求項４のいずれかに記載の電子機器において、前記音叉型屈曲水晶振動子の圧電定数ｅ１２の絶対値が０．０９５〜０．１８Ｃ／ｍ２の範囲内にあることを特徴とする水晶振動子を搭載した電子機器。
【請求項６】
請求項１から請求項５のいずれかに記載の電子機器において、音叉腕に溝を有する音叉型屈曲水晶振動子の２次高調波モード振動の等価直列抵抗Ｒ２が基本波モード振動の等価直列抵抗Ｒ１より大きいことを特徴とする水晶振動子を搭載した電子機器。
【請求項７】
請求項１から請求項６のいずれかに記載の電子機器において、増幅回路と帰還回路とを備えて構成される前記二個の水晶発振器の内、一個の水晶発振器を構成する帰還回路の水晶振動子は、幅縦モードで振動する幅縦水晶振動子又は厚みすべりモードで振動する厚みすべり水晶振動子であることを特徴とする水晶振動子を搭載した電子機器。
【請求項８】
少なくとも表示部と水晶振動子からなる水晶発振器を備えて構成される水晶振動子を搭載した電子機器の製造方法であって、
前記電子機器は少なくとも二個の水晶発振器を備えて構成され、少なくとも二個の水晶発振器の内、一個の水晶発振器は音叉型屈曲水晶振動子を備えて構成される水晶発振器で、前記水晶発振器はＣＭＯＳインバータと帰還抵抗素子からなる増幅回路と、音叉型屈曲水晶振動子とコンデンサーと抵抗素子からなる帰還回路とを備えて構成される水晶発振回路を備えて構成されていて、
前記音叉型屈曲水晶振動子の音叉腕の上下面の少なくとも１面に溝を形成する工程と、
溝の側面とその側面に対抗して電極を配置する工程と、を有し、
前記溝の側面の電極とその側面に対抗して配置された電極とは極性が異なる２電極端子を構成し、音叉腕に溝を有する前記音叉型屈曲水晶振動子の基本波モード振動のフイガーオブメリットＭ１が、２次高調波モード振動のフイガーオブメリットＭ２より大きいことを特徴とする水晶振動子を搭載した電子機器の製造方法。
【請求項９】
請求項８の電子機器の製造方法において、前記一個の水晶発振器を構成する帰還回路の音叉型屈曲水晶振動子は、幅と厚みと長さとを有する音叉腕と音叉基部とを備えて構成され、屈曲モードで振動する音叉型屈曲水晶振動子で、前記音叉腕の一端部は音叉基部に接続され、他端部は自由である音叉型屈曲水晶振動子で、前記音叉腕は少なくとも第１音叉腕と第２音叉腕とを備えて構成され、第１音叉腕と第２音叉腕の上下面にはそれぞれ厚みの方向に対抗して溝が設けられ、前記溝は第１音叉腕と第２音叉腕の上下面に各々１個の溝が設けられ、少なくとも１個の溝幅Ｗ２は部分幅Ｗ１、Ｗ３と等しいか、又は部分幅Ｗ１、Ｗ３より大きいことを特徴とする水晶振動子を搭載した電子機器の製造方法。
【請求項１０】
請求項８または請求項９の電子機器の製造方法において、増幅回路と音叉型屈曲水晶振動子から成る帰還回路とを備えて構成される水晶発振回路を備えた水晶発振器の、増幅回路の基本波モード振動の増幅率α１と２次高調波モード振動の増幅率α２との比が、帰還回路の２次高調波モード振動の帰還率β２と基本波モード振動の帰還率β１との比より大きいことを特徴とする水晶振動子を搭載した電子機器の製造方法。
【請求項１１】
請求項８から請求項１０のいずれかに記載の電子機器の製造方法において、増幅回路と音叉型屈曲水晶振動子から成る帰還回路とを備えて構成される水晶発振回路を備えて構成される水晶発振器の、増幅回路の基本波モード振動の負性抵抗−ＲＬ１の絶対値と基本波モード振動の等価直列抵抗Ｒ１との比が、増幅回路の２次高調波モード振動の負性抵抗−ＲＬ２の絶対値と２次高調波モード振動の等価直列抵抗Ｒ２との比より大きいことを特徴とする水晶振動子を搭載した電子機器の製造方法。
【請求項１２】
請求項８から請求項１１のいずれかに記載の電子機器の製造方法において、増幅回路と帰還回路とを備えて構成される少なくとも一個の水晶発振器を構成する帰還回路の水晶振動子は、屈曲モード振動と異なる幅縦モード振動又は厚みすべりモード振動の水晶振動子であることを特徴とする水晶振動子を搭載した電子機器の製造方法。
【手続補正３】
【補正対象書類名】明細書
【補正対象項目名】０００５
【補正方法】変更
【補正の内容】
【０００５】  即ち、本発明の水晶振動子を搭載した電子機器の第１の態様は、少なくとも表示部と水晶発振器から構成される電子機器で、前記電子機器は複数個の水晶発振器を備えて構成され、その内の二個の水晶発振器はそれぞれ異なる振動モードの水晶振動子を備えて構成されていて、前記二個の各水晶発振器は増幅回路と帰還回路から構成される水晶発振回路を備えて構成され、前記増幅回路は少なくとも増幅器から構成され、かつ、前記帰還回路は少なくとも水晶振動子とコンデンサーから構成される水晶発振回路を備えて構成される水晶発振器で、前記二個の水晶発振器の内の、一個の水晶発振器を構成する帰還回路の前記異なる振動モードの水晶振動子の内の一つは、屈曲モードで振動する音叉腕と音叉基部から成る音叉型屈曲水晶振動子で、前記音叉腕は上面と下面と側面とを有し、前記音叉型屈曲水晶振動子の音叉腕に溝が設けられ、前記溝と前記音叉腕の側面に電極が配置され、前記溝の側面の電極とその電極に対抗する音叉腕の側面の電極とが互いに異極で、かつ、前記音叉腕が逆相で振動する溝と電極が設けられ、音叉腕に溝を有する前記音叉型屈曲水晶振動子の基本波モード振動のフイガーオブメリットＭ１が、２次高調波モード振動のフイガーオブメリットＭ２より大きい音叉型屈曲水晶振動子を備えて前記一個の水晶発振器は構成されている水晶振動子を搭載した電子機器である。


【手続補正４】
【補正対象書類名】明細書
【補正対象項目名】０００６
【補正方法】変更
【補正の内容】
【０００６】  本発明の水晶振動子を搭載した電子機器の製造方法の第１の態様は、少なくとも表示部と水晶振動子からなる水晶発振器を備えて構成される水晶振動子を搭載した電子機器の製造方法であって、前記電子機器は少なくとも二個の水晶発振器を備えて構成され、少なくとも二個の水晶発振器の内、一個の水晶発振器は音叉型屈曲水晶振動子を備えて構成される水晶発振器で、前記水晶発振器はＣＭＯＳインバータと帰還抵抗素子からなる増幅回路と、音叉型屈曲水晶振動子とコンデンサーと抵抗素子からなる帰還回路とを備えて構成される水晶発振回路を備えて構成されていて、前記音叉型屈曲水晶振動子の音叉腕の上下面の少なくとも１面に溝を形成する工程と、溝の側面とその側面に対抗して電極を配置する工程と、を有し、前記溝の側面の電極とその側面に対抗して配置された電極とは極性が異なる２電極端子を構成し、音叉腕に溝を有する前記音叉型屈曲水晶振動子の基本波モード振動のフイガーオブメリットＭ１が、２次高調波モード振動のフイガーオブメリットＭ２より大きい水晶振動子を搭載した電子機器の製造方法である。